(57)【要約】【課題】歌唱力向上に寄与することができるカラオケ用練習装置を提供する。【解決手段】カラオケ用練習用装置は、カラオケ装置及び音楽再生可能な家電機器と通信可能であり、また、ユーザが携帯可能である。カラオケ練習用装置は、制御部及び記憶部を有し、記憶部は、ユーザがカラオケ装置を用いて歌唱した曲目を含む歌唱履歴情報を記憶し、かつ、ユーザが家電機器を用いて聴取した曲目を含む聴取履歴情報を記憶する。制御部は、カラオケ装置から演奏可能な曲目を取得したときに、当該取得した曲目のうち、聴取履歴情報に含まれる曲目を、ユーザに提示する。さらに、制御部は、家電機器から再生可能な曲目を取得したときに、当該取得した曲目のうち、歌唱履歴情報に含まれる曲目を、ユーザに提示する。【選択図】図１
2011069979.tif 000002
【特許請求の範囲】
【請求項１】
カラオケ装置及び音楽再生可能な家電機器と通信可能、かつ、ユーザが携帯可能なカラオケ練習用装置であって、
前記カラオケ練習用装置は、制御部及び記憶部を有し、
前記記憶部は、前記ユーザが前記カラオケ装置を用いて歌唱した曲目を含む歌唱履歴情報を記憶し、かつ、前記ユーザが前記家電機器を用いて聴取した曲目を含む聴取履歴情報を記憶し、
前記制御部は、
前記カラオケ装置から演奏可能な曲目を取得したときに、当該取得した曲目のうち、前記聴取履歴情報に含まれる曲目を、前記ユーザに提示し、
前記家電機器から再生可能な曲目を取得したときに、当該取得した曲目のうち、前記歌唱履歴情報に含まれる曲目を、前記ユーザに提示する、
ことを特徴とするカラオケ練習用装置。 
【請求項２】
前記記憶部は、前記歌唱した曲目ごとの歌唱履歴情報、及び、前記聴取した曲目ごとの聴取履歴情報を記憶し、
前記制御部は、
前記カラオケ装置から演奏可能な曲目を取得したときに、当該取得した曲目のうち、前記聴取履歴情報に含まれかつ前記歌唱履歴情報及び前記聴取履歴情報に基いた第１の条件を満たす曲目を、第１の曲目として前記ユーザに提示し、
前記家電機器から再生可能な曲目を取得したときに、当該取得した曲目のうち、前記歌唱履歴情報に含まれかつ前記歌唱履歴情報及び前記聴取履歴情報に基いた第２の条件を満たす曲目を、第２の曲目として前記ユーザに提示する、
ことを特徴とする請求項１のカラオケ練習用装置。 
【請求項３】
前記制御部は、
前記第１の曲目を提示する際に、前記聴取履歴情報に含まれる聴取回数が多い曲目を優先的に前記ユーザに提示し、
前記第２の曲目を提示する際に、前記聴取履歴情報に含まれる聴取回数が少ない曲目を優先的に前記ユーザに提示する、
ことを特徴とする請求項２のカラオケ練習用装置。 
【請求項４】
前記制御部は、
前記カラオケ装置から演奏可能な曲目を取得したときに、当該取得した曲目のうち、前記聴取履歴情報に含まれる曲目を第１態様で、かつ、前記聴取履歴情報に含まれていない曲目を第２態様で、前記ユーザに提示し、
前記家電機器から再生可能な曲目を取得したときに、当該取得した曲目のうち、前記歌唱履歴情報に含まれる曲目を第３態様で、かつ、前記歌唱履歴情報に含まれていない曲目を第４態様で、前記ユーザに提示する、
ことを特徴とする請求項１のカラオケ練習用装置。
【発明の詳細な説明】
【技術分野】
【０００１】
本発明は、ユーザの歌唱力向上に寄与することができるカラオケ練習用装置に関する。
【背景技術】
【０００２】
従来より、選曲操作を補助することを目的として、ユーザの歌唱履歴を提示するカラオケ装置が提案されている（例えば、特許文献１）。このような装置は、過去に選曲されたカラオケ楽曲はユーザの好みに合った楽曲であり、再度歌唱する可能性が高いという考えに基いている。
【先行技術文献】
【特許文献】
【０００３】
【特許文献１】特開２００８−２６２１１９号公報
【発明の概要】
【発明が解決しようとする課題】
【０００４】
ところで、上手く歌えるようになるために（すなわち、歌唱力向上を目的として）歌唱の練習を行うユーザが存在する。上記特許文献１に記載されるようなカラオケ装置では、このようなユーザに対して適切な楽曲を提示することができなかった。また、歌唱の練習を行うユーザは、練習している楽曲を自宅のＣＤプレイヤー等で聴取する回数が多いと考えられるが、このようなユーザの行動を考慮したカラオケ練習用装置は提案されていなかった。
【課題を解決するための手段】
【０００５】
上記目的を達成するために、請求項１に係る発明は、カラオケ装置及び音楽再生可能な家電機器と通信可能、かつ、ユーザが携帯可能なカラオケ練習用装置であって、前記カラオケ練習用装置は、制御部及び記憶部を有し、前記記憶部は、前記ユーザが前記カラオケ装置を用いて歌唱した曲目を含む歌唱履歴情報を記憶し、かつ、前記ユーザが前記家電機器を用いて聴取した曲目を含む聴取履歴情報を記憶し、前記制御部は、前記カラオケ装置から演奏可能な曲目を取得したときに、当該取得した曲目のうち、前記聴取履歴情報に含まれる曲目を、前記ユーザに提示し、前記家電機器から再生可能な曲目を取得したときに、当該取得した曲目のうち、前記歌唱履歴情報に含まれる曲目を、前記ユーザに提示するように構成した。
【０００６】
請求項１に係る発明では、カラオケ装置が演奏可能な曲目のうち、ユーザが音楽再生可能な家電機器を用いて聴取した曲目をユーザに提示するように構成している。また、請求項１に係る発明では、家電装置が再生可能な曲目のうち、ユーザがカラオケ装置を用いて歌唱した曲目をユーザに提示するように構成している。これらの構成は、歌唱の練習を行うユーザは、練習している楽曲に対して、歌唱する→聴く→歌唱する→聴く→…という繰り返しの行動をとることが多いという知見に基くものである。このように構成することにより、歌唱可能な楽曲や聴取可能な楽曲を効率的にユーザに提示することができるので、ユーザの歌唱力向上に寄与することができる。
【０００７】
また、請求項２に係る発明は、請求項１のカラオケ装置において、前記記憶部は、前記歌唱した曲目ごとの歌唱履歴情報、及び、前記聴取した曲目ごとの聴取履歴情報を記憶し、前記制御部は、前記カラオケ装置から演奏可能な曲目を取得したときに、当該取得した曲目のうち、前記聴取履歴情報に含まれかつ前記歌唱履歴情報及び前記聴取履歴情報に基いた第１の条件を満たす曲目を、第１の曲目として前記ユーザに提示し、前記家電機器から再生可能な曲目を取得したときに、当該取得した曲目のうち、前記歌唱履歴情報に含まれかつ前記歌唱履歴情報及び前記聴取履歴情報に基いた第２の条件を満たす曲目を、第２の曲目として前記ユーザに提示するように構成した。
【０００８】
請求項２に係る発明では、カラオケ装置が演奏可能な曲目のうち、ユーザが音楽再生可能な家電機器を用いて聴取した曲目であって、歌唱履歴情報及び聴取履歴情報に基いた第１の条件を満たす曲目をユーザに提示するように構成している。また、請求項２に係る発明では、家電装置が再生可能な曲目のうち、ユーザがカラオケ装置を用いて歌唱した曲目であって、歌唱履歴情報及び聴取履歴情報に基いた第２の条件を満たす曲目をユーザに提示するように構成している。このように構成することにより、ユーザの歌唱履歴や聴取履歴に基いてユーザの歌唱力向上に寄与する楽曲を効率よく抽出して提示することができる。
【０００９】
また、請求項３に係る発明は、請求項１のカラオケ装置において、前記制御部は、前記第１の曲目を提示する際に、前記聴取履歴情報に含まれる聴取回数が多い曲目を優先的に前記ユーザに提示し、前記第２の曲目を提示する際に、前記聴取履歴情報に含まれる聴取回数が少ない曲目を優先的に前記ユーザに提示するように構成している。
【００１０】
請求項３に係る発明では、ユーザが歌唱する楽曲の選曲操作においては、聴取回数が多い曲目を優先的に提示する。この点、「一般的に、多くの回数を聴いた曲目ほどよく覚えているものであり、覚えている曲ほど、唄い易い」という知見に基づくものである。一方、ユーザが聴取する楽曲の選曲操作においては、聴取回数が少ない楽曲を優先的に提示する。この点、「聴いた回数が少ない曲目ほど記憶に残っていないので、記憶するためにはさらに多くの回数聴く必要がある」という知見に基づくものである。このように構成することにより、ユーザの歌唱力向上に寄与する楽曲を効率よく抽出して提示することができる。
【００１１】
また、請求項４に係る発明は、請求項１のカラオケ装置において、前記制御部は、前記カラオケ装置から演奏可能な曲目を取得したときに、当該取得した曲目のうち、前記聴取履歴情報に含まれる曲目を第１態様で、かつ、前記聴取履歴情報に含まれていない曲目を第２態様で、前記ユーザに提示し、前記家電機器から再生可能な曲目を取得したときに、当該取得した曲目のうち、前記歌唱履歴情報に含まれる曲目を第３態様で、かつ、前記歌唱履歴情報に含まれていない曲目を第４態様で、前記ユーザに提示するように構成している。
【００１２】
請求項４に係る発明では、カラオケ装置が演奏可能な曲目のうち、ユーザが音楽再生可能な家電機器を用いて聴取した曲目と聴取していない曲目とを、異なる態様で提示する。また、請求項２に係る発明では、家電装置が再生可能な曲目のうち、ユーザがカラオケ装置を用いて歌唱した曲目と歌唱していない曲目とを、異なる態様で提示する。このように構成することにより、ユーザは、提示される各楽曲の種別を容易に判別することができる。
【発明の効果】
【００１３】
本発明によれば、歌唱履歴及び聴取履歴を用いて、ユーザの歌唱力向上に寄与することができるカラオケ練習用装置を提供することができる。
【図面の簡単な説明】
【００１４】
【図１】本発明の実施形態に係るカラオケシステムの概要を示す説明図である。
【図２】ユーザの行動とリモコンの動作との関係を示す説明図である。
【図３】リモコンの具体的構成を示すブロック図である。
【図４】カラオケシステムにおける処理の流れを示す説明図である。
【図５】歌唱時処理のフローチャートである。
【図６】（Ａ）は歌唱履歴情報，（Ｂ）は共通曲番号に変換した演奏可能曲目リスト，（Ｃ）は表示曲目リストをそれぞれ示す説明図である。
【図７】表示部のレイアウトの一例を示す説明図である。
【図８】第１ポイントリストを示す説明図である。
【図９】（Ａ）は歌唱履歴情報，（Ｂ）は共通曲番号に変換した演奏可能曲目リスト，（Ｃ）は表示曲目リストをそれぞれ示す説明図である。
【図１０】聴取時処理のフローチャートである。
【図１１】（Ａ）は歌唱履歴情報，（Ｂ）は共通曲番号に変換した演奏可能曲目リスト，（Ｃ）は表示曲目リストをそれぞれ示す説明図である。
【図１２】第２ポイントリストを示す説明図である。
【発明を実施するための形態】
【００１５】
［実施形態］
以下、本発明の実施形態について説明する。本実施形態では、ユーザが携帯可能なリモコンがカラオケ練習用装置として機能する。
【００１６】
［実施形態の概要］
まず、本実施形態の概要について説明する。図１に示すように、ユーザ５０は、リモコン１を携帯してカラオケ店（カラオケボックス）に行き、カラオケ店内では、カラオケ装置１０に対して、リモコン１を用いて歌うための選曲操作を行う。また、ユーザ５０は、自宅では、音楽再生可能な家電機器２０（例えば、ＣＤラジカセ，ＣＤプレイヤー，ＨＤＤ内蔵コンポ等）に対して、リモコン１を用いて音楽を聴くための選曲操作を行う。すなわち、ユーザ５０は、リモコン１を用いて、カラオケ店内での歌唱のための操作及び自宅内での聴取のための操作の両方の操作を行う。なお、図１に示すように、カラオケ装置１０は、通信網を介して楽曲データ等を記憶しているサーバ３０に接続可能であるものとする。なお、以下の説明においては、リモコン１，カラオケ装置１０，家電機器２０，サーバ３０を総称して、カラオケシステムＳということがある。
【００１７】
リモコン１は、カラオケ店内において、カラオケ装置１０が演奏可能な曲目を表示部１５（図３参照）上に表示する。このとき、リモコン１は、ユーザが家電機器２０を用いて聴取した曲目を参照して表示する曲目を決定する。一方、リモコン１は、自宅内において、家電機器２０が再生可能な曲目リストを表示部１５に表示する。このとき、リモコン１は、ユーザ５０がカラオケ装置１０を用いて歌唱した曲目を参照して、表示する曲目を決定する。このように、リモコン１は、図２に示すように、ユーザ５０のカラオケ店内での行動及び自宅内での行動の両方に基いて、演奏可能な曲目及び再生可能な曲目の提示内容を決定することができる。すなわち、ユーザ５０がリモコン１を携帯してカラオケ店に行くと、リモコン１はカラオケ店内において、ユーザ５０が自宅で聴取した曲目とカラオケ装置１０から取得した演奏可能な曲目とに基いて、選曲操作を補助するために曲目を提示する。また、リモコン１は、ユーザ５０の歌唱後、歌唱履歴を更新する。また、リモコン１は、ユーザ５０がカラオケ店で歌唱を行う間、提示・選曲受付・更新の各処理を繰り返す。一方、ユーザ５０が自宅に帰ると、リモコン１は自宅内において、ユーザ５０がカラオケ店で歌唱した曲目と家電機器２０から取得した再生可能な曲目とに基いて、選曲操作を補助するために曲目を提示する。また、リモコン１は、ユーザ５０の聴取後、聴取履歴を更新する。また、リモコン１は、ユーザ５０が自宅内で音楽を聴取する間、提示・選曲受付・更新の各処理を繰り返す。以上のように処理することにより、リモコン１は、ユーザ５０の歌唱力向上に寄与することができる。なお、本発明では、「曲目」という用語を、楽曲の「曲名」や「曲番号」のように各楽曲を識別することができる情報を示すものとして用いる。
【００１８】
なお、図１においては、カラオケ装置１０の数は１つであるが、実際には、複数のカラオケ装置１０が存在する。また、これらのカラオケ装置１０は、１つのカラオケ店内のみに存在するのではなく、複数のカラオケ店内に存在する。本実施形態では、複数の異なるカラオケ装置１０で歌唱を行った場合においても、共通の歌唱履歴を用いることとする。すなわち、例えばカラオケ店Ａのカラオケ装置１０で歌唱した際の歌唱履歴と、カラオケ店Ｂのカラオケ装置１０で歌唱した際の歌唱履歴は、統合されて１つの歌唱履歴として処理されるものとする。
【００１９】
なお、本実施形態では、カラオケ装置１０で演奏可能な曲目と、家電機器２０で再生可能な曲目とを対応付けて管理する必要がある。カラオケ装置１０は、サーバ３０が管理している曲番号に基いて各楽曲を管理することができる。一方、家電機器２０は、例えば、ＣＤＤＢ（Compact Disc DataBase）等が管理している曲番号に基いて各楽曲を管理することができる。リモコン１は、カラオケ装置１０及び家電機器２０が管理する同一の楽曲については、同一の曲番号（以下、「共通曲番号」）で管理している。そのため、リモコン１は、カラオケ装置１０及び家電機器２０がそれぞれ用いている曲番号体系を、共通曲番号に変換する機能を有するものとする。
【００２０】
［リモコンの具体的構成］
次に、リモコン１の具体的構成について図３を参照して説明する。リモコン１は、リモコン１全体を統括制御する制御部１１と、記憶部１２と、外部との通信に用いられる通信部１３と、リモコン１を操作するための操作部１４と、表示部１５とから構成されている。これらの構成要素は、バス１６で相互に接続されている。また、制御部１１は、ＣＰＵ等によって構成されている。記憶部１２には、所定のプログラムの他、後述する歌唱履歴情報及び聴取履歴情報が記憶される。通信部１３は、カラオケ装置１０との間では、図４に示す曲の演奏に係る情報（要求信号，演奏可能曲目データ，選曲信号等）を送受信するとともに、家電機器２０との間では、曲の再生に係る情報（要求信号，再生可能曲目データ，選曲信号等）を送受信するための通信インタフェースとして機能する。なお、カラオケ装置１０、家電機器２０それぞれの通信規格等が異なる場合には複数のインタフェース（例えば、無線ＬＡＮ、ＵＳＢ，ＨＤＭＩ（High-Definition Multimedia Interface）など）から構成される。操作部１４は、物理的なスイッチでもよく、タッチスクリーンでもよい。表示部１５は、例えば、液晶ディスプレイである。また、音声の入出力が可能となるように構成してもよい。また、カラオケ演奏中に、表示部１５に歌詞を表示してもよい。
【００２１】
なお、カラオケ装置１０及び家電機器２０については、リモコン信号に基いて制御され、かつ、演奏及び再生を行うことができる公知の構成を用いることができ、本発明の理解とは関係がない部分であるので説明を省略する。
【００２２】
［カラオケシステムにおける処理の流れ］
次に、カラオケシステムＳにおける処理の流れについて、図４を参照して説明する。
【００２３】
［カラオケ店内での処理］
まず、カラオケ店内における処理の流れについて、図４（Ａ）を参照して説明する。
（１）カラオケ装置１０は、配信可能な曲（配信可能データ）をサーバ３０から受信し、演奏可能な楽曲の曲目リスト（以下、「演奏可能曲目データ」ということがある。）を作成する。サーバ３０からは配信可能な楽曲であっても、カラオケ装置１０では演奏できない楽曲もあるため、演奏可能曲目データの作成が必要となる。なお、演奏可能曲目データを作成するタイミングは適宜設定することができ、例えば、サーバ３０から配信可能データを受信するごとに行ってもよい。
（２）リモコン１は、カラオケ装置１０に対して、演奏可能曲目データの送信を要求する。この処理は、ユーザが操作部１４を用いて所定の操作を行ったとき等に行われる。
（３）リモコン１は、受信した演奏可能曲目データを利用して、表示部１５に表示する曲目を示す表示曲目リストを作成する。なお、表示曲目リストの詳細については後述する。
（４）リモコン１は、作成した表示曲目リストに基いて、演奏可能な曲目を表示部１５に表示する。
（５）リモコン１は、ユーザから選曲操作を操作部１４を介して受け付け、その操作に基いた選曲信号を、カラオケ装置１０に送信する。
（６）カラオケ装置１０は、受信した選曲信号に基いて、カラオケ演奏を行う。なお、カラオケ演奏の処理自体は公知であり、本発明の理解とは関係がない部分であるので詳細な説明を省略する。
（７）リモコン１は、カラオケ装置１０から演奏終了通知を受信すると、歌唱履歴情報を更新する。なお、歌唱履歴情報の詳細については後述する。また、カラオケ装置１０は、曲の最後までカラオケ演奏を行わなかった場合でも、曲の演奏を所定時間以上（例えば、１曲の半分以上）行った場合には、演奏終了通知を行ってもよい。
【００２４】
なお、カラオケ装置１０がカラオケ演奏に係る情報（歌唱したユーザＩＤ，歌唱日時，採点結果）等をサーバ３０に送信し、サーバ３０側で個人履歴情報として記憶管理するように構成してもよい。
また、上記した（４）〜（７）の処理（すなわち、曲目提示→選曲受付→カラオケ演奏→歌唱履歴情報更新）は、繰り返し行われるものとする。
【００２５】
［自宅内での処理］
次に、自宅内における処理の流れについて、図４（Ｂ）を参照して説明する。
（１）家電機器２０は、再生可能の楽曲の曲目リスト（以下、「再生可能曲目データ」ということがある。）を作成する。なお、再生可能曲目データを作成するタイミングは適宜設定することができ、例えば、家電機器２０の電源投入時、ＣＤが交換されたとき、ＨＤＤの内容が更新されたとき等に行うことができる。
（２）リモコン１は、家電機器２０に対して、再生可能曲目データの送信を要求する。この処理は、ユーザが操作部１４を用いて所定の操作を行ったとき等に行われる。
（３）リモコン１は、受信した再生可能曲目データを利用して、表示部１５に表示する曲目を示す表示曲目リストを作成する。なお、表示曲目リストの詳細については後述する。
（４）リモコン１は、作成した表示曲目リストに基いて、再生可能な曲目を表示部１５に表示する。
（５）リモコン１は、ユーザから選曲操作を操作部１４を介して受け付け、その操作に基いた選曲信号を、家電機器２０に送信する。
（６）家電機器２０は、受信した選曲信号に基いて、再生を行う。なお、家電機器２０における再生処理自体は公知であり、本発明の理解とは関係がない部分であるので詳細な説明を省略する。
（７）リモコン１は、家電機器２０から再生終了通知を受信すると、聴取履歴情報を更新する。なお、聴取履歴情報の詳細については後述する。また、家電機器２０は、曲の最後まで再生を行わなかった場合でも、曲の再生を所定時間以上（例えば、１曲の半分以上）行った場合には、再生終了通知を行ってもよい。
【００２６】
また、上記した（４）〜（７）の処理（すなわち、曲目提示→選曲受付→楽曲再生→聴取履歴情報更新）は、繰り返し行われるものとする。
【００２７】
［歌唱時処理］
次に、カラオケ店内においてリモコン１で実行される歌唱時処理について、図５のフローチャートを参照して説明する。この処理は、ユーザがカラオケ店内でリモコン１を用いて所定の操作を行ったときに実行される。
【００２８】
まず、ステップＳ１１において、制御部１１は、記憶部１２に記憶している聴取履歴情報を取得する。聴取履歴情報の詳細については後述する。
ステップＳ１２において、制御部１１は、カラオケ装置１０に演奏可能曲目データを要求する要求信号を送信して、演奏可能曲目データを取得する。このとき、カラオケ装置１０が用いる曲番号体系を共通曲番号に変換している。
ステップＳ１３において、制御部１１は、ステップＳ１１及びステップＳ１２で取得した聴取履歴情報及び演奏可能曲目データに基いて、表示曲目リストを作成する。表示曲目リストの作成処理の詳細については後述する。
ステップＳ１４において、制御部１１は、ステップＳ１３で作成した表示曲目リストに基いて、表示部１５に曲目を表示する。表示部１５のレイアウトについては後述する。
ステップＳ１５において、制御部１１は、ユーザから操作部１４を介してカラオケ演奏を行う曲目の選曲操作を受け付け、その操作に基いた選曲信号を、カラオケ装置１０に送信する。このとき、共通曲番号をカラオケ装置１０が用いている曲番号体系に変換している。
ステップＳ１６において、制御部１１は、記憶部１２に記憶している歌唱履歴情報を更新する。歌唱履歴情報の詳細については後述する。
ステップＳ１７において、制御部１１は、ユーザから操作部１４を介して歌唱時処理を終了する操作（終了操作）を受け付けたか否かを判断する。終了操作を受け付けていないと判断した場合は（ステップＳ１７：ＮＯ）、制御部１１は、処理をステップＳ１５に戻す。一方、終了操作を受け付けたと判断した場合は（ステップＳ１７：ＹＥＳ）、制御部１１は、歌唱時処理を終了する。
【００２９】
［表示曲目リストの作成処理（第１例）］
次に、ステップＳ１３で実行される表示曲目リストの作成処理の第１例の詳細について説明する。図６（Ａ）は、記憶部１２から取得した聴取履歴情報の一例を示している。同図に示すように、共通曲番号（曲目）ごとに聴取回数が対応付けられている。また、図６（Ｂ）は、カラオケ装置１０から取得した演奏可能曲目データに基いて、カラオケ装置１０で演奏可能な曲目を共通曲番号に変換した演奏可能曲目リストを示している。
このステップＳ１３では、演奏可能曲目リストに含まれ、かつ、聴取回数が所定数以上の曲目のリストを、表示曲目リストとして作成する。図６（Ｃ）は、所定数を「５回」とした場合に作成された表示曲目リストを示している。同図に示すように、共通曲番号「１０１０」，「１００１」，「１００７」が抽出されている。
ところで、図６（Ａ）において聴取回数「５回」以上の共通曲番号「１００３」，「１００５」，「１００６」が、図６（Ｃ）の表示曲目リストに含まれていない理由は、各番号が図６（Ｂ）に含まれていないからである。
また、同図において、「表示順序」は表示部１５上の表示順序（優先度）を示している。同図では、聴取回数が多い順に優先的に表示することを示している。また、優先度は、発売日や配信開始日等も考慮して決定してもよい。
なお、図６（Ｃ）では、所定数を「５回」としたが、「１回」とした場合は、カラオケ装置１０で演奏可能な曲であって、家電機器２０で聴取したことがある曲の全てが、表示曲目リストの曲目として抽出されることになる。
【００３０】
［表示部１５の表示内容の決定処理］
次に、ステップＳ１４で表示される表示部１５のレイアウトの一例について説明する。図７（Ａ）は、表示部１５のレイアウトの一例を示している。同図に示すように、表示部１５上には、５つの曲名表示領域５１〜５５が表示されている。また、表示する曲名を変更するための操作ボタン５６，５７が表示されている。
このステップＳ１４では、表示曲目リストに含まれる共通番号に対応する曲名を、対応する曲名表示領域５１〜５５に表示する。なお、図６（Ｃ）の表示曲目リストに基いて曲名を表示する場合は、共通曲番号「１０１０」に対応する曲名を曲名表示領域５１に表示し、共通曲番号「１００１」に対応する曲名を曲名表示領域５２に表示し、共通曲番号「１００７」に対応する曲名表示領域５３に表示する。なお、曲名表示領域５４，５５には曲名は表示されてない。なお、図７（Ａ）に示した表示レイアウトは単なる一例であり、曲名以外の種々の情報を併せて表示するように構成してもよい。また、表示レイアウト等については、公知の種々の技術を適用してもよい。
【００３１】
また、例えば、表示曲目リストに７曲分の曲目が抽出された場合は、ステップＳ１４において、「表示順序」が「１」〜「５」の曲目の曲名が、表示部１５上の曲名表示領域５１〜５５に表示される。そして、この状態で、操作ボタン５７が押下されると、「表示順序」が「２」〜「６」の曲目の曲名が、表示部１５上の曲名表示領域５１〜５５に表示される。一方、この状態で、操作ボタン５６が押下されると、「表示順序」が「１」〜「５」の曲目の曲名が、表示部１５上の曲名表示領域５１〜５５に表示される。
【００３２】
［表示曲目リストの作成処理（第２例）］
次に、表示曲目リストの作成処理の第２例について説明する。この第２例では、記憶部１２に記憶されている聴取履歴情報と歌唱履歴情報を利用して第１ポイントリストを作成し、この第１ポイントリストに基いて表示曲目リストの「表示順序」を作成するものである。図８（Ａ）は、第１ポイントリストを示している。同図に示すように、共通曲番号ごとに、聴取回数，聴取ポイント，歌唱平均点数，歌唱ポイント，合計ポイントが記憶されている。また、聴取ポイントは、聴取回数が大きいほど大きくなるように決定されている。なお、聴取回数と聴取ポイントとの関係は、適宜設定することができる。例えば、聴取ポイント＝聴取回数としてもよい。また、歌唱ポイントは、歌唱平均点数が低いほど大きくなるように決定されている。なお、歌唱平均点数と歌唱ポイントとの関係は、適宜設定することができる。例えば、歌唱平均点数「９０．０以上」：５ポイント，歌唱平均点数「８０．０〜８９．９点」：１０ポイント，歌唱平均点数「７０．０〜７９．９点」：１５ポイント，歌唱平均点数「６０．０〜６９．９点」：２０ポイント，歌唱平均点数「５０．０〜５９．９点」：２５ポイント，歌唱平均点数「４９．９点以下」：３０ポイントとしてもよい。
【００３３】
合計ポイントは、聴取ポイントと歌唱ポイントの合計値である。そして、この合計値が高い曲ほど、表示順序、すなわち優先度が高くなるように設定する。この第２例では、「聴取回数が大きく、かつ、歌唱平均点数が低い曲ほど、ユーザが歌唱力向上を望んでいる曲であり、歌唱を推奨する曲として提示することが望ましい」という知見に基づくものである。リモコン１がこのように構成されることにより、歌唱する曲の選曲操作を効果的に補助することができるので、ユーザの歌唱力向上に寄与することができる。
【００３４】
［表示曲目リストの決定処理（第３例）］
次に、表示曲目リストの決定処理の第３例について説明する。この第３例では、聴取されていない曲目についても、表示部１５に表示するものである。例えば、新たに配信可能（演奏可能）となった楽曲等については、自宅で聴いたことがなくても、歌唱する傾向が高いと考えられる。そこで、この第３例では、図９（Ａ）〜（Ｃ）の各情報を用いて、表示曲目リストを作成する。図９（Ａ）は、上述した図６（Ａ）と同様のデータ構造を有する聴取履歴情報である。図９（Ｂ）は、演奏可能曲目リストであり、演奏可能な楽曲の共通曲番号ごとにフラグが付されている。このフラグは、ユーザが興味を持っていると考えられる楽曲の共通曲番号に対して「ＯＮ」となり、そうではない共通曲番号に対して「ＯＦＦ」となるものである。例えば、ユーザが好きなアーティストやジャンルの楽曲の共通曲番号に対してＯＮとなる。そして、この第３例では、演奏可能曲目リストにおいて「ＯＮ」のフラグが付されている共通曲番号の曲目を表示曲目リストとして抽出し、また、その曲目が聴取履歴情報に含まれているか否かに応じて表示態様を決定するものである。
【００３５】
図９（Ｃ）は、この第３例における表示曲目リストを示している。同図に示すように、共通曲番号ごとに「表示態様」が設定されている。図７（Ｂ）は、この第３例における表示部１５のレイアウトの一例を示している。なお、図７（Ｂ）は、図９（Ｃ）の表示曲目リストの「表示順序」の１〜５に対応する共通曲番号の曲名を、曲名表示領域５１〜５５にそれぞれ表示した状態を示している。同図に示すように、表示曲目リストの表示態様が「１」となっている共通曲番号（すなわち、「表示順序」が「３」と「４」の共通曲番号である「１００４」及び「１００７」）の曲名を表示する際に、その表示領域の右側に所定のマーク６０を表示するようにしている。すなわち、表示態様が「１」となっている（すなわち、家電機器２０で聞いたことがある曲）の共通曲番号の曲目を表示する際には第１の態様で表示し、表示態様が「２」となっている（すなわち、家電機器２０で聴いたことがない曲）の共通曲番号の曲目を表示する際には第２の態様で表示するように構成している。なお、所定のマーク６０を表示するのではなく、曲名表示領域の背景色等を変化させるように構成してもよい。
【００３６】
また、表示曲目リストの曲目として抽出するために用いるデータや条件は、上述した第１例や第２例以外のものであってもよい。例えば、記憶部１２に記憶されている聴取履歴情報のうち、過去１ヶ月間に聴取した曲目の聴取履歴情報を利用して表示曲目リストを作成してもよい。また、表示曲目リストに所定曲数（例えば、２０曲）以上の曲目が抽出された場合は、優先度の高い順に２０曲選択し、それ以外の曲目を表示曲目リストから削除するように構成してもよい。
【００３７】
本実施形態では、上述したとおり、表示部１５への表示方法として種々のバリエーションを備えている。そして、家電機器２０で聴いたことがない曲については、表示部１５に表示するように構成することができ、また、表示しないように構成することができる。さらに、ユーザの操作により、図７（Ａ）と図７（Ｂ）の表示レイアウトを切替えるように構成してもよい。すなわち、表示しても、しなくてもよいように構成してもよい。
【００３８】
［聴取時処理］
次に、自宅内においてリモコン１で実行される聴取時処理について、図１０のフローチャートを参照しつつ説明する。この処理は、ユーザが自宅内でリモコン１を用いて所定の操作を行ったときに実行される。
【００３９】
まず、ステップＳ２１において、制御部１１は、記憶部１２に記憶している歌唱履歴情報を取得する。
ステップＳ２２において、制御部１１は、家電機器２０に再生可能曲目データを要求する要求信号を送信して、再生可能曲目データを取得する。このとき、家電機器２０が用いる曲番号体系を共通曲番号に変換している。
ステップＳ２３において、制御部１１は、ステップＳ２１及びステップＳ２２で取得した歌唱履歴情報及び再生可能曲目データに基いて、表示曲目リストを作成する。表示曲目リストの作成の詳細については後述する。
ステップＳ２４において、制御部１１は、ステップＳ２３で作成した表示曲目リストに基いて、表示部１５に曲目を表示する。なお、このステップＳ２４の処理は、上述した歌唱時処理のステップＳ１４の処理と基本的に同じである。
ステップＳ２５において、制御部１１は、ユーザから操作部１４を介して再生を行う曲目の選曲操作を受け付け、その操作に基いた選曲信号を、家電機器２０に送信する。このとき、共通曲番号を家電機器２０が用いている曲番号体系に変換している。
ステップＳ２６において、制御部１１は、記憶部１２に記憶している聴取履歴情報を更新する。
ステップＳ２７において、制御部１１は、ユーザから操作部１４を介して聴取時処理を終了する操作を受け付けたか否かを判断する。終了する操作を受け付けていないと判断した場合は（ステップＳ２７：ＮＯ）、制御部１１は、処理をステップＳ２５に戻す。一方、終了する操作を受け付けたと判断した場合は（ステップＳ２７：ＹＥＳ）、制御部１１は、聴取時処理を終了する。
【００４０】
［表示曲目リストの作成処理（第１例）］
次に、ステップＳ２３で実行される表示曲目リストの作成処理の第１例の詳細について説明する。図１１（Ａ）は、記憶部１２から取得した歌唱履歴情報を示している。同図に示すように、共通曲番号（曲目）ごとに歌唱回数が対応付けられている。また、図１１（Ｂ）は、家電機器２０から取得した再生可能曲目データに基いて、家電機器２０で再生可能な曲目を共通曲番号に変換した再生可能曲目リストを示している。
このステップＳ２３では、再生可能曲目リストに含まれ、かつ、歌唱回数が所定数以上の曲目のリストを、表示曲目リストとして作成する。図１１（Ｃ）は、所定数を「１回」とした場合に作成された表示曲目リストを示している。同図に示すように、共通曲番号「１０１０」，「１００７」，「１００４」，「１００８」が抽出されている。また、同図において、「表示順序」は表示部１５上の表示順序（優先度）を示している。同図では、歌唱回数が多い順に優先的に表示することを示している。また、優先度は、発売日や配信開始日等を考慮して決定してもよい。また、歌唱履歴情報に歌唱平均点数を含ませ、その歌唱平均点数が大きい順に優先的に表示するように「表示順序」を決定してもよい。
【００４１】
［表示曲目リストの作成処理（第２例）］
次に、表示曲目リストの作成処理の第２例について説明する。この第２例では、記憶部１２に記憶されている聴取履歴情報と歌唱履歴情報を利用して第２ポイントリストを作成し、この第２ポイントリストに基いて表示曲目リストの「表示順序」を作成するものである。図１２は、第２ポイントリストを示している。同図に示すように、共通曲番号ごとに、聴取回数，聴取ポイント，歌唱平均点数，歌唱ポイント，合計ポイントが記憶されている。また、聴取ポイントは、聴取回数が小さいほど大きくなるように決定されている。なお、聴取回数と聴取ポイントとの関係は、適宜設定することができる。例えば、聴取回数「０回」：４５ポイント，聴取回数「１〜５回」：３４ポイント，聴取回数「６〜１０回」：２３ポイント，聴取回数「１１〜２０回」：１２ポイント，聴取回数「２１〜５０回」：５ポイント，聴取回数「５１回以上」：１ポイントとしてもよい。また、歌唱ポイントは、歌唱平均点数が低いほど大きくなるように決定されている。なお、歌唱平均点数と歌唱ポイントとの関係は、適宜設定することができる。例えば、歌唱平均点数「９０．０以上」：５ポイント，歌唱平均点数「８０．０〜８９．９点」：１０ポイント，歌唱平均点数「７０．０〜７９．９点」：１５ポイント，歌唱平均点数「６０．０〜６９．９点」：２０ポイント，歌唱平均点数「５０．０〜５９．９点」：２５ポイント，歌唱平均点数「４９．９点以下」：３０ポイントとしてもよい。
【００４２】
合計ポイントは、聴取ポイントと歌唱ポイントの合計値である。そして、この合計値が高い曲ほど、表示順序、すなわち優先度が高くなるように設定する。この第２例では、「聴取回数が小さく、かつ、歌唱平均点数が低い曲ほど、ユーザが歌唱力向上を望んでいる曲であり、聴取を推奨する曲として提示することが望ましい」という知見に基づくものである。リモコン１がこのように構成されることにより、聴取する曲の選曲操作を効果的に補助することができるので、ユーザの歌唱力向上に寄与することができる。
【００４３】
また、この聴取時処理において、カラオケ装置１０で歌唱していない曲についても、表示するように構成してもよい。例えば、表示曲目リストに抽出した曲のうち、カラオケ装置１０で歌唱したことがある曲については、対応する曲名表示領域を第３の態様で表示し、歌唱したことがない曲については、当該領域を第４の態様で表示するように構成してもよい。なお、第３の態様は、上述した歌唱時処理における第１の態様または第２態様と同じでもよく、また、これらの態様と異なってもよい。また、第４の態様は、上述した歌唱時処理における第１の態様または第２の態様と同じでもよく、また、これらの態様と異なってもよい。
【００４４】
以上説明したとおり、本実施形態のリモコン１は、カラオケ装置１０及び音楽再生可能な家電機器２０と通信可能であり、また、ユーザが携帯可能である。リモコン１は、制御部１１及び記憶部１２を有し、記憶部１２は、ユーザがカラオケ装置１０を用いて歌唱した曲目を含む歌唱履歴情報を記憶し、かつ、ユーザが家電機器２０を用いて聴取した曲目を含む聴取履歴情報を記憶する。制御部１１は、カラオケ装置１０から演奏可能な曲目を取得したときに、当該取得した曲目のうち、聴取履歴情報に含まれる曲目を、ユーザに提示する。さらに、制御部１１は、家電機器２０から再生可能な曲目を取得したときに、当該取得した曲目のうち、歌唱履歴情報に含まれる曲目を、ユーザに提示する。これにより、歌唱の練習を行うユーザに対して、歌唱力向上に寄与するようにカラオケ店で歌唱する曲、及び、自宅で聴取する曲の選曲操作を補助することができるので、ユーザの歌唱力向上に寄与することができる。
【００４５】
本発明は上述した実施形態に限定されるものではなく、本発明の要旨を逸脱しない範囲内で種々の改良、変形が可能であることはいうまでもない。
【００４６】
例えば、携帯電話の一機能としてリモコン１を実現してもよい。また、携帯オーディオプレイヤーの一機能としてリモコン１を実現してもよい。この場合は、リモコン１と家電機器２０とが１つの装置として実現されることになるため、上述の実施形態で説明したリモコン１と家電機器２０との通信処理が不要となる。また、携帯電話とオーディオプレイヤーとが一体となった装置においてリモコン１の機能を実現するように構成してもよい。
【００４７】
なお、上述した各フローチャートは単なる一例であり、該各フローチャートの処理と同等の結果を得ることができるものであれば、他のフローチャートによって処理を実現してもよい。また、上述したリモコンに係る各方法、当該方法をコンピュータに実行させるためのプログラム、当該プログラムを記録した記録媒体等としても本発明は実現可能である。
【符号の説明】
【００４８】
１…リモコン，１１…制御部，１２…記憶部，１０…カラオケ装置，２０…家電機器，
Ｓ…カラオケシステム
【図１】
2011069979.tif 000003
【図２】
2011069979.tif 000004
【図３】
2011069979.tif 000005
【図４】
2011069979.tif 000006
【図５】
2011069979.tif 000007
【図６】
2011069979.tif 000008
【図７】
2011069979.tif 000009
【図８】
2011069979.tif 000010
【図９】
2011069979.tif 000011
【図１０】
2011069979.tif 000012
【図１１】
2011069979.tif 000013
【図１２】
2011069979.tif 000014